(57)【要約】  本発明は、加熱回路の電力供給を調整するためのモジュールを備え、電気エネルギー発生器に接続するための入力およびフロントガラス用ワイパーブレードの加熱回路に接続するための出力を備え付ける、自動車両のフロントガラス用ワイパーブレードの加熱回路を制御するための自律装置を提案する。この装置は、瞬間ｔにおいて、一方で車両の外部の温度を表すデータ、およびもう一方で車両の瞬間速度を表すデータを取得する手段を備え、前記取得手段はこれらのデータを調整モジュールに送信するように構成される。
2020520849.tif 000002
【特許請求の範囲】
【請求項１】
自動車両のフロントガラス用ワイパーブレード（Ｂ１、Ｂ２）の加熱回路を制御するための自律装置（１）であって、発電機（Ｇ）に接続するための入力（２１）およびフロントガラス用ワイパーブレード（Ｂ１、Ｂ２）の前記加熱回路の端子に前記接続するための出力（２２）を備えた前記加熱回路の電力供給を調整するモジュール（２）を備え、瞬間ｔにおいて、一方で前記車両の外部の気温を表すデータ項目、およびもう一方で前記車両の瞬間速度を表すデータ項目を取得するための手段（３、４）を備え、前記取得手段（３、４）が前記データを前記調整モジュール（２）へ送信するように構成されることを特徴とする自律装置（１）。
【請求項２】
密閉ケーシング（５）を備え、当該密閉ケーシング（５）の内部には、前記調整モジュール（２）および前記車両の前記瞬間速度を表すデータ項目を取得するための前記手段（３、４）が少なくとも配置され、前記調整モジュールの前記接続入力および出力（２１、２２）が前記ケーシング（５）の前記外部からアクセスできるように配置されることを特徴とする請求項１に記載の自律装置。
【請求項３】
前記車両の前記瞬間速度を表すデータ項目を取得するための前記手段が、衛星測位モジュール（４）を備えることを特徴とする請求項１または２に記載の自律装置。
【請求項４】
前記車両の外部の温度を表すデータ項目を取得するための前記手段が、温度プローブ（３）を備えることを特徴とする請求項１から３のいずれか一項に記載の自律装置。
【請求項５】
前記車両の外部の温度を表すデータ項目を取得するための前記手段（３）および／または前記車両の前記瞬間速度を表すデータ項目を取得するための前記手段（４）が、前記電気調整モジュール（２）に統合されることを特徴とする請求項１から４のいずれか一項に記載の自律装置。
【請求項６】
前記電気調整モジュール（２）が電子ボード（Ｃ）を備え、当該電子ボード上に、電子調整回路、衛星測位モジュール（４）、および好ましくは温度プローブ（３）、の構成要素が配置されることを特徴とする請求項１から５のいずれか一項に記載の自律装置。
【請求項７】
前記衛星測位モジュール（４）および／または前記温度プローブ（３）が、前記電子調整回路の１つまたは複数のスイッチを形成することを特徴とする請求項６に記載の自律装置。
【請求項８】
前記電気調整モジュール（２）が、マイクロプロセッサおよびメモリを備え、当該メモリには、前記外部の温度を表す前記データ項目および前記車両の前記瞬間速度を表す前記データ項目に応じて前記加熱回路の前記電力供給を調整するためのコンピュータプログラムが格納されることを特徴とする請求項６または７のいずれかに記載の自律装置。
【請求項９】
前記調整モジュール（２）が、前記加熱回路の前記電力および／または抵抗特性を分析し、それに応じて前記加熱回路の前記電力供給を調整するように構成されることを特徴とする請求項１から８のいずれか一項に記載の自律装置。
【請求項１０】
加熱回路および請求項１から９のいずれか一項に記載の自律制御装置（１）を装備した少なくとも１つのフロントガラス用ワイパーブレード（Ｂ１、Ｂ２）を備える組立キット。
【請求項１１】
前記自律制御装置（１）が密閉ケーシング（５）に配置され、前記調整モジュール（２）の前記接続入力および出力（２１、２２）は、それが前記加熱回路におよび発電機（Ｇ）に接続できるように前記ケーシング（５）の外側からアクセスできるように配置されることを特徴とする請求項１０に記載の組立キット。
【請求項１２】
前記ケーシング（５）が、前記調整モジュール（２）の前記接続入力および出力（２１、２２）を保護および密封するための手段を備えることを特徴とする請求項１１に記載の組立キット。
【発明の詳細な説明】
【技術分野】
【０００１】
本発明は、フロントガラス用ワイパーブレードの加熱回路を制御および調整するための装置に関するもので、前記加熱回路は、ワイパーに統合または関連付けられた少なくとも１つの抵抗素子を備え、前記制御および調整装置は、元のおよびアフターマーケット機器としての両方を乗り物に搭載され得る自律型組立品を形成する。
【背景技術】
【０００２】
自動車両のフロントガラス用ワイパーブレードは、特にワイパーブレードとその構造を除氷し、フロントガラス用ワイパーが掃除するように設計されている窓の拭き取り性能レベルを改善するために加熱されることが知られている。
【０００３】
フロントガラス用ワイパーブレードがフロントガラスのウォッシャー液を分配するための内部チャネルを備えている場合、フロントガラス用ワイパーブレードを加熱すると、フロントガラスのウォッシャー液を窓の外面に噴霧または投射する前に加熱することもでき、さらに、ウィンドウを除氷する動作を円滑化し、任意選択で手動スクレーパーの使用を避けることができる。
【０００４】
従来使用されている加熱手段は、基本的に、電気加熱抵抗器などの抵抗加熱素子を統合する電気加熱回路を備え、電流が供給されると、抵抗素子の周囲で消散する熱を生成し、および／または少なくとも部分的に、接触している要素、特に、例えばワイパーブレードのストリップおよび／またはその保持構造に伝達される。
【０００５】
例えば、フロントガラス用ワイパーブレードの曲げスパインが、スパインの２つの対向する平坦面の少なくとも一方に接着され、電気加熱回路を備える追加フィルムの形の加熱手段を装備することがすでに提案されている。
【０００６】
電気加熱回路は、基本的に、例えば、基板上に沈着または印刷された導電線または導電性トラックのループを備え、その端部は、車両のバッテリーに接続された電流供給端子に接続される。
【０００７】
第１の変形形態によれば、フロントガラス用ワイパーブレードの加熱回路の制御および調整は、車両の運転席のダッシュボードでアクセス可能なスイッチを介して、車両の運転者が直接管理する機能で、フロントガラスを除氷するための回路と同様の方法で、ワイパーブレードの加熱回路の電力供給回路を開き、それぞれ閉じる。好ましくは、電源回路は、所定の加熱期間の後、または外気温が設定温度よりも高い場合、例えば、車両の電子コンピュータおよび適切な関連センサーによって自動的に閉じることができる。
【０００８】
第２の変形形態によれば、フロントガラス用ワイパーブレードの加熱回路を制御および調整する機能は、電子コンピュータおよび車両の電気回路によって、車両の運転者とは無関係に管理することもできる。この目的のために、これらのパラメータを考慮に入れて加熱回路の電力供給サイクルを制御するために、車両の外部の温度とその速度の測定値がコンピュータによって統合されることが好ましい。
【０００９】
上記の第１または第２の変形形態に関係なく、フロントガラス用ワイパーブレードの加熱回路を制御および調整する機能は、主に車両の「元の機器」に限定される。
【００１０】
実際のところ、この制御は、エネルギー効率が良く、ワイパーブレードの完全性に適合するために、加熱回路が前記回路を必要とする気候条件でのみアクティブであるための、外気温の知識、抵抗または加熱回路の電力、および好ましくは車両の速度の知識を必要とする。
【００１１】
したがって、これらのパラメータを調整する必要があり、および／または車両とその電気システムには、ユーザーが高価な後続作業を必要としないようにするため、車両の生産段階でフロントガラス用ワイパーブレードの加熱制御の管理に適合した測定装置を装備する必要がある。
【００１２】
しかしながら、消費者が特定の要件や季節の変動に応じてその車両に装備でき、その結果、購入時にこの目的の特定の電気的アーキテクチャまたはコンピュータプログラミングを統合した車両がなくても、加熱回路を備えたフロントガラス用ワイパーブレードの使用を普及させることが望ましいと考えられる。
【００１３】
本発明は、この要件に対する単純で効果的かつ経済的な解決策を提案することを目的としており、これは、特に「アフターマーケット機器」としてあらゆる自動車両に適用可能である。
【発明の概要】
【００１４】
本発明は、第１の目的に従って、自動車両のフロントガラス用ワイパーブレードの加熱回路を制御するための自律装置を提案することによりその目的を達成し、加熱回路の電力供給を調整するモジュールを備え、発電機に接続するための入力およびフロントガラス用ワイパーブレードの前記加熱回路の端子に接続するための出力を備えている。本発明によれば、この制御装置は、一方で、車両の外部の温度を表すデータ項目および車両の瞬間速度を表すデータ項目を瞬間ｔで取得する手段を備えることを特徴とし、他方、前記取得手段は、前記データを調整モジュールに送信するように構成されている。
【００１５】
本発明の制御装置は、完全に自律的であり、したがって、加熱回路を備えたフロントガラス用ワイパーブレードを元々装備していない車両に搭載できるという利点を有する。
【００１６】
この制御装置は、任意の適切な手段を使用して、車両のバッテリーなどの電源へのほか、前記フロントガラス用ワイパーブレードの加熱回路の端子にも入力として接続できる調整モジュールを備える。したがって、消費者は、冬の期間の特定の気候条件での運転を最適化して保護するため、車両のタイヤに対してできるように、この期間に加熱回路を備えたフロントガラス用ワイパーブレードを車両に装備することが可能である。
【００１７】
本発明の制御装置は、加熱回路の電力供給に関して、電子コンピュータや車両の電気回路への接続とは無関係に、外気温および車両の速度に関係するパラメータを考慮することによって、フロントガラス用ワイパーブレードの加熱回路の電力供給の最適化された調整も可能にするという点で特に有利であることがわかる。
【００１８】
したがって、装置が車両のバッテリーまたは他の電源への入力として、および１つまたは複数のフロントガラス用ワイパーブレードの加熱回路の端子への出力として接続されると、前記装置は、所定の瞬間ｔに車両の外部の温度と車両の瞬間速度を取得し、それに応じて加熱回路の電力供給を調節することによって加熱回路の加熱を自律的に制御できる。したがって、加熱回路の最適化および保護された供給が提供され、前記回路および１つまたは複数の関連するワイパーブレードの完全性が保証される。
【００１９】
本発明の装置の特定の実施形態では、前記装置は、密閉ケーシングを備え、その内部には、調整モジュールおよび車両の瞬間速度を表すデータ項目を取得するための手段が少なくとも配置され、調整モジュールの前記接続入力および出力が前記ケーシングの外部からアクセスできるように配置されている。
【００２０】
一実施形態では、車両の瞬間速度を表すデータ項目を取得するための手段は、衛星測位モジュールを備える。
【００２１】
有利には、車両の外部の温度を表すデータ項目を取得するための手段は、温度プローブを備える。
【００２２】
好ましい実施形態によれば、車両の外部の温度を表すデータ項目を取得するための手段および／または車両の瞬間速度を表すデータ項目を取得するための手段は、電気調整モジュールに統合されている。
【００２３】
より具体的には、電気調整モジュールは、電子ボードを特に備えることができ、その上に電子調整回路、衛星測位モジュール、および好ましくは、温度プローブの構成要素が配置される。このような調整モジュールは、非常に小さな電子チップの形で製造でき、適切な保護パッケージに梱包されると、数平方センチメートル未満の寸法で、厚さは数ミリメートル未満である。その場合、本発明の制御装置を、例えば、ワイパーブレード支持部の下、または車両のボンネットの下の他のゾーンに、装置を収容するための特別な空間的配置を必要とせずに配置するようにできることが非常に簡単である。
【００２４】
本発明の制御装置の有利な特徴によれば、衛星測位モジュールおよび／または温度プローブは、電子調整モジュールの１つまたは複数のスイッチを形成する。実際のところ、調整モジュールは、その動作の入力条件として温度および速度を表すデータ項目を統合するように有利に構成される。したがって、温度が特定のしきい値、例えば５℃を超える場合、本発明の調整モジュールおよび制御装置は、加熱回路に電力を供給しない。適切な場合、速度がゼロの場合にも同じであり得る。最後に、２つの温度および速度の入力条件を組み合わせて、車両の外部の温度および車両の速度に応じて異なる調整レジームを定義することができる。
【００２５】
この目的のために、電気調整モジュールは、好ましい実施形態において、マイクロプロセッサおよびメモリを有利に備え、そのメモリには、外部の温度および車両の瞬間速度を表す前記データ項目に応じて加熱回路の電力供給を調整するためのコンピュータプログラムが格納される。したがって、調整プログラムは、前述のようにフロントガラス用ワイパーブレードの加熱回路を調整するための様々なレジームを非常に簡単に定義できる。
【００２６】
より有利には、本発明の制御装置の調整モジュールは、加熱回路の電力および／または抵抗特性を分析し、それに応じて前記加熱回路の電力供給を調整するように構成することもできる。
【００２７】
したがって、本発明の制御装置は、フロントガラス用ワイパーブレードの加熱回路の端子に接続されたとき、この加熱回路の電気的特性を分析し、特に、前記ワイパーブレードと制御装置との互換性を決定でき、互換性がある場合は、適切な電力供給特性を決定できる。
【００２８】
本発明は、第２の目的によれば、加熱回路および前述の自律制御装置を装備した少なくとも１つのフロントガラス用ワイパーブレードを含む組立キットにも関する。
【００２９】
そのような組立キットは、消費者のために、加熱回路および関連する自律制御装置を備えた１つまたは複数のフロントガラス用ワイパーブレードを車両に装備するためのターンキー解決策を形成する。
【００３０】
有利な実施形態では、自律制御装置は密閉ケーシングに配置され、調整モジュールの前記接続入力および出力は、加熱回路および発電機に接続できるように前記ケーシングの外側からアクセスできるように配置される。
【００３１】
より好ましくは、この実施形態では、ケーシングは、調整モジュールの前記接続入力および出力を保護および密封するための手段を備える。したがって、制御装置の電気接続における短絡のリスクが防止される。
【図面の簡単な説明】
【００３２】
本発明のさらなる特徴および利点は、非限定的な例として提供され、添付の図面を参照して理解される以下の詳細な説明を読むことにより明らかになるであろう。
【図１】電力供給および加熱回路を備えた一対のフロントガラス用ワイパーブレードに関連する本発明の自律制御装置の概略図である。
【図２】本発明による自律制御装置を自動車両に実装する一例で、部分斜視図として示されている図である。
【図３】非限定的な例示として、本発明の装置によって実施されるフロントガラス用ワイパーブレード加熱回路の電源を入れるための電力供給電圧およびサイクルの調整の一例を示す図である。
【発明を実施するための形態】
【００３３】
説明の残りの部分全体を通して、同一の構造または類似の機能を備えた要素は、同じ参照符号を使用して示される。
【００３４】
図１は、自動車両用のフロントガラス用ワイパーブレードＢ１、Ｂ２の加熱回路を制御するための自律装置１を簡略化した概略図で示している。この装置１は、すなわち、他のいずれかの装置または電子システム、特にコンピュータおよび自動車両の既存のセンサーから独立して、そのようなワイパーブレードを元々装備していない車両の加熱ワイパーブレードの加熱温度を自律的に制御するために設計および開発されている。
【００３５】
このような加熱回路を備えたフロントガラス用ワイパーブレードは、現在、特に最高級の車両、および屋外温度が５℃未満であることが多く、マイナスであるために、頻繁に雪や氷が自動車両の視認性、ひいては循環状態を変える可能性がある、過酷な気候の地域で特に使用されている。
【００３６】
このようなフロントガラス用ワイパーブレードの加熱回路への効果的な電源供給には、ワイパーブレード、特に抵抗加熱トラックとそのストリップの過度の急速な劣化のほか、過度の電力消費を避けるために、外気温パラメータ、車両の速度、ならびに前記加熱回路を形成する抵抗トラックの抵抗および／または電力の知識が必要とされる。
【００３７】
さらに、加熱回路を備えたこのようなフロントガラス用ワイパーブレードは、基本的に車両の標準的な製造装備として搭載され、加熱回路の電力供給の電子制御は、車両のコンピュータのメーカーによって前もって事前定義されており、特に電力供給強度が、通常ワイパーブレードの長さに依存する、加熱回路の抵抗に適合されることを確実にするため、そのコンピュータに、ワイパーブレードの加熱回路が電気的に接続されている。
【００３８】
本発明の装置１は、加熱回路「ユニバーサル」、すなわち、自動車両の元々機器としての初期備品としてと、元々装備されていないあらゆるタイプの車両に対するアフターマーケット機器としての両方を備えたフロントガラス用ワイパーブレードを使用するための適切な解決策を提供することを目的とする。
【００３９】
図１からわかるように、本発明の装置１は、フロントガラス用ワイパーブレードＢ１、Ｂ２の加熱回路の電力供給を電気的に調整するためのモジュール２を備える自律制御装置である。
【００４０】
この調整モジュール２は、自動車両のバッテリーなどの発電機Ｇに接続するための入力２１を備える。車両のバッテリーＧに接続するためのこの入力２１は、有利には標準接続プラグを備えている。
【００４１】
さらに、調整モジュール２は、各フロントガラス用ワイパーブレードＢ１、Ｂ２の加熱回路（図示せず）の端子に接続するための出力２２も備える。車両のワイパーブレードＢ１、Ｂ２の加熱回路に接続するためのこの出力２２は、接続されるワイパーブレードの数に応じて、１つまたは複数の標準接続プラグも有利に備える。したがって、出力２２は、装置１に接続されるワイパーブレードの数が多い場合、２つまたは３つの接続プラグを備えることができる。
【００４２】
加熱回路を備えたフロントガラス用ワイパーブレードＢ１、Ｂ２の一例として、出願人の名前の米国特許出願第２０１１／０１６６５３号明細書または米国特許出願第２０１３／２６９１４２号明細書に開示されたタイプのワイパーブレードを挙げることができる。
【００４３】
調整モジュール２は、図示されていない電子構造を有しており、特に少なくとも１つの整流回路、１つのフィルタリング回路、および１つの電圧調整回路自体が統合されている。
【００４４】
これらの異なる構成要素は、特に電子ボードＣに統合し、調整モジュール２の入力２１および出力２２も接続するプリント回路で一緒に接続できる。
【００４５】
本発明の装置１にワイパーブレードＢ１、Ｂ２の加熱回路を制御するためのその自律的な性質を提供するために、前記装置は有利には、瞬間ｔにおいて、車両の外部の温度を表すデータ項目を取得する手段のほか、車両の瞬間速度を表すデータ項目を取得する手段も備え、前記取得手段は、前記データを調整モジュール２に送信するように装置１に構成および配置される。
【００４６】
より具体的には、外気温を表すデータ項目を取得するための手段は、有利には、調整モジュールの入力２３に電気的に接続された温度プローブ３を備える。この温度プローブ３は、特に、例えば白金抵抗タイプ（参照符号ＰＴ）またはサーミスタータイプの熱電対タイプのプローブまたは熱抵抗プローブであっても良い。この温度プローブ３は、プローブのタイプに応じて適切な配線を使用して、入力２３を介して調整モジュール２に直接接続されている。
【００４７】
部品の車両の瞬間速度を表すデータ項目を取得するための手段は、衛星測位モジュール４を備えることが好ましい。この衛星測位モジュール４は、電力供給バスによって接続され、調整モジュール２の入力２４で調整モジュールにデータを送信する独立した機能モジュールであり得る。
【００４８】
代替として、衛星測位モジュール４は、調整モジュール２の電子ボードＣ上に直接配置され配線される集積回路の形で製造することができる。
【００４９】
明確にするために、図１は機能図として、相互接続された調整モジュール２、温度プローブ３、および衛星測位モジュール４を単に示し、調整モジュール２はその入力２１、２３、２４で、発電機Ｇの電力供給、温度プローブ３からの外気温データ項目、および衛星測位モジュール４からの瞬間ｔでの瞬間速度をそれぞれ受信する。出力２２で、調整モジュール２（したがって、本発明の装置１）は、フロントガラス用ワイパーブレードＢ１、Ｂ２の加熱回路（図示せず）に直接接続される。
【００５０】
制御装置１の完全性を確保するために、そのすべての電子構成要素、特に調整モジュール２のほか、好ましくは温度プローブ３および衛星測位モジュール４も、密閉ケーシング５に統合されており、調整モジュール２の接続入力および出力２１、２２のみがアクセス可能で、ケーシング５を、一方では、車両のバッテリーＧに、もう一方では、フロントガラス用ワイパーブレードＢ１、Ｂ２に接続できるようにする。
【００５１】
ケーシング５は、その統合された電子回路と調整モジュール２の入力および出力コネクタ２１、２２のコンパクトさに明らかに応じて、多様な形状および寸法をとることができる。しかし、制御装置１をフロントガラス用ワイパーブレード支持部に直接容易に統合できるようにするため、または図２に示すように、車両のエンジンコンパートメントの内部幅内のフードの下に収容できるようにするためにも、ケーシングは最大で数ミリメートルからセンチメートル程度の最大寸法を有することが好ましい。
【００５２】
その設置を容易にするために、ケーシング５は、有利には、例えば、接着剤またはスナップ嵌めタイプの可逆的締結手段を備え、運転者または車両の所有者自身による設置を容易にする。
【００５３】
したがって図２に示すように、車両のバッテリーＧおよびワイパーブレードＢ１、Ｂ２の加熱回路に接続されると、本発明の制御装置１は、その動作に関して完全に自律的であるので、装置１を調整モジュール２の入力２１および出力２２に接続できるように適切な配線が提供されている限り、標準製造装備として、またはアフターマーケット機器として搭載されるかどうかに関係なく、あらゆるタイプの車両に実装することができる。
【００５４】
したがって、要件に応じて加熱回路を備えたワイパーブレードＢ１、Ｂ２を車両に装備し、それに接続された本発明の装置１および車両のバッテリーＧによって加熱回路の動作を制御することは非常に簡単である。
【００５５】
本発明の一態様はまた、加熱回路および自律制御装置１を装備した、少なくとも１つのフロントガラス用ワイパーブレード、または一対のフロントガラス用ワイパーブレードＢ１、Ｂ２を備える組立キットを提供することを含む。
【００５６】
ワイパーブレードＢ１、Ｂ２の加熱回路の最適な制御を可能にするために、装置１の調整モジュール２は、マイクロプロセッサおよびメモリ（図示せず）を備えることが有利であり、メモリには、プローブ３およびモジュール４によって送信される、外気温および車両の瞬間速度に関するデータに応じて加熱回路の電力供給を調整するためのコンピュータプログラムが格納されている。
【００５７】
したがって、調整プログラムは、外気温と瞬間ｔでのその瞬間速度の両方について、車両の運転条件に応じて、フロントガラス用ワイパーブレードＢ１、Ｂ２の加熱回路の電力供給を調整するための異なるレジームを非常に簡単に定義できる。
【００５８】
図３は、単に本発明の範囲の非限定的な表示として、車両の外気温および速度に関する値に応じて加熱ワイパーブレードの電力供給を調整するサイクルの一例を示している。このような調整サイクルは、適切な言語を使用したプログラミングアルゴリズムで非常に簡単かつ確実に実装でき、調整モジュールのメモリに格納できる。次に、マイクロプロセッサはメモリと通信して、そこに格納されているプログラムを動作させ、温度プローブ３および衛星測位モジュール４から受信したデータに応じて、調整回路を制御して、前記回路が、電圧および強度によって、ならびに調整モジュール２の出力２２での適応タイミングに従って、適切な電力供給を行うようにする。
【００５９】
したがって、図３を参照すると、温度プローブ３が調整モジュール２に外気温が−１０℃であることを通知し、衛星測位モジュール４が、車両が１００ｋｍ／ｈで走行していると計算した場合には、調整モジュール２は出力２２で１３．５Ｖの直流電圧をワイパーブレードＢ１、Ｂ２に供給するための信号を配信する。
【００６０】
同様に、例えば渋滞や信号で車両が停止し、したがって速度がゼロで、屋外温度が−５℃の場合、次に調整モジュール２は、４０秒間９Ｖの電圧を供給し、それから２０秒間停止するための信号を配信し、車両の速度が調整プログラムの３０ｋｍ／ｈを超える速度しきい値に達しない限り、このサイクルを繰り返す。この場合、マイクロプロセッサのクロックまたは補助クロックを使用して、調整モジュール２の出力２２で、電力供給を開いて、それぞれ閉じたりする期間をカウントダウンすることができる。
【００６１】
対照的に、温度プローブ３による周囲温度の測定値が５℃よりも高い場合、調整モジュール２はワイパーブレードＢ１、Ｂ２への電力供給を切断し、そのそれぞれの加熱回路を不必要に加熱しないようにする。調整モジュール２の動作次第で入力データ項目を提供する、温度プローブ３は、有利には、電源装置１のスイッチのように機能する。
【００６２】
同様に、特に、前述のようにマイクロプロセッサによってメモリに格納されたプログラムを使用して前記モジュールが制御される場合、調整モジュール２の構成またはプログラミングを検討することもでき、その結果、衛星測位モジュール４も、例えば、エンジン点火がまだアクティブである間に車両が長期間停止した場合、調整モジュールのスイッチのように機能する。繰り返すが、この場合、カットオフまでの期間は、マイクロプロセッサのクロックまたは調整モジュール２に統合された補助クロックを介して計算できる。
【００６３】
有利には、調整モジュール２は、ワイパーブレードＢ１、Ｂ２の加熱回路の電力および／または抵抗特性を分析して、この抵抗の関数として、加熱回路の長さに応じて異なる、出力２２で配信される電力供給信号の強度を適合させるようにも構成される。
【００６４】
したがって、フロントガラス用ワイパーブレードＢ１、Ｂ２が接続されると、調整モジュール２は、その出力２２で電気回路の状態の変化を検出することができる。この検出により、ワイパーブレードのそれぞれの加熱回路の電気的特性を分析することを目的としたマイクロプロセッサによるテストサイクルが自動的に開始され、供給に応じて、これらすべての加熱回路に適合するようになされた電流の配信が確実になる。
【００６５】
新しいワイパーブレードＢ１、Ｂ２が接続されたときに回路をテストするこのフェーズではさらに、１つまたは複数のワイパーブレードＢ１、Ｂ２と制御装置１の互換性を決定し、こうして非互換のワイパーブレードの使用を防ぎ、車両の電気回路の一般的な混乱を特に回避することができる。
【００６６】
このテストフェーズは、ワイパーブレードＢ１、Ｂ２の接続時に調整モジュール２によって本発明の制御装置に送信される刺激信号に対する決定された電気的応答を識別することにより、その発生源を決定するためにワイパーブレードＢ１、Ｂ２を認証するフェーズも有利に含むことができる。
【００６７】
したがって、本発明は、フロントガラス用ワイパーブレードの加熱回路を制御するための単純な、特に自律的な解決策を提供し、そのようなブレードをあらゆるタイプの自動車両のアフターマーケット機器として使用できるようにする。
【図１】
2020520849.tif 000003
【図２】
2020520849.tif 000004
【図３】
2020520849.tif 000005
【国際調査報告】
2020520849.tif 000006
2020520849.tif 000007
2020520849.tif 000008
2020520849.tif 000009